(57)【特許請求の範囲】
【請求項１】
自発光する発光部と、
前記発光部の点滅制御を行うと共に記憶部を備える制御部と、
前記制御部からの制御信号を無線によって送受信する通信部と、
前記発光部と前記制御部と前記通信部とに電力を供給する電源部と、
少なくとも親機の認識用のＬＥＤを有し、任意の情報を表示する情報表示部と、
前記通信部が有し、無線通信に用いる電波の送受信を行うアンテナと、
前記制御部と前記通信部とを内設するコントロールユニットと、
前記コントロールユニットに設けられる操作部と、
前記発光部が設けられるパネルが取り付けられる枠部に回動自在に連結され、前記コントロールユニットを着脱自在に取り付けることが可能なユニット取付部と、
を有する発光装置を複数備え、
前記ユニット取付部は、２つの前記ユニット取付部が前記発光装置の設置状態における前記枠部の上下両端にそれぞれ連結され、
２つの前記ユニット取付部は、前記枠部に対して回動することにより、前記ユニット取付部に取り付けられた前記コントロールユニットを、前記パネルにおける前記発光部が設けられる側の反対側に位置させる状態と、前記枠部の上側に位置させる状態と、の間で移動させることが可能になっており、且つ、前記発光装置の設置時に前記コントロールユニットを前記枠部の上側に位置させる状態にすることにより、前記アンテナを前記発光装置の上部に位置させることが可能になっており、
前記コントロールユニットは、前記パネルにおける前記発光部が設けられる側の反対側に位置する状態においては前記操作部が表面に位置する向きで、前記ユニット取付部に対して取り付けられ、
それぞれの前記発光装置の前記制御部は、それぞれの前記発光装置が有する前記通信部同士での無線通信を介して、前記制御信号の送受信を行うことが可能になっており、且つ、前記記憶部に記憶されているアドレスの中から１つを選択して自己の前記発光装置のアドレス設定をすることにより、自己の前記発光装置を前記親機または子機として設定することが可能になっており、
前記情報表示部は、自己の前記発光装置の前記アドレスとして設定された前記アドレスを表示する共に、前記親機として設定された前記発光装置の前記情報表示部のみ前記ＬＥＤが点灯し、
前記親機の前記制御部は、前記発光部の点滅制御の制御信号を設定すると共に、設定した点滅制御の制御信号を前記子機の前記制御部に対して、前記通信部同士での無線通信を介して送信し、
前記子機の前記制御部は、前記親機の前記制御部から送信された前記点滅制御の制御信号を、他の前記子機の前記制御部に対して、前記通信部同士での無線通信を介して送信し、
それぞれの前記発光装置の前記制御部は、前記親機の前記制御部で設定した点滅制御の制御信号に基づいて前記発光部を点滅させることを特徴とする視線誘導装置。
【請求項２】
それぞれの前記制御部は、前記親機の前記制御部で設定された前記発光部の点滅制御の制御信号に基づいて前記発光部の点滅制御を行うことにより、複数の前記発光装置間で前記発光部を順次点滅させることが可能になっており、
前記親機の前記制御部は、複数の前記発光装置間で前記発光部を順次点滅させる際のタイミングを設定可能である請求項１に記載の視線誘導装置。
【請求項３】
前記通信部は、無線通信を行う際の周波数を変更することができる請求項１または２に記載の視線誘導装置。
【発明の詳細な説明】
【技術分野】
【０００１】
本発明は、視線誘導装置に関する。
【背景技術】
【０００２】
車両が走行をする道路上で工事を行う場合、工事を行う作業者の安全性の確保や、走行する車両の安全性を確保するために、車両が工事箇所に侵入しないように誘導をする必要がある。このように車両を誘導するための手段としては、複数の発光装置を備える視線誘導装置が知られている。
【０００３】
例えば、特許文献１に記載された連動矢印板装置は、発光装置である矢印型の発光部を備える複数の矢印板に対して、非接触で同時に制御信号を送る手元操作器を備えており、矢印板の点灯時における点滅パターンが、予め複数設定されるものになっている。この連動矢印板装置では、手元操作器によって点滅パターンの選択操作を行うことにより、手元操作器は制御信号を矢印板に送信する。この制御信号を受信した矢印板は、選択された点滅パターンで点滅し、これにより、任意の点滅パターンで複数の矢印板を点滅させることができるため、走行中の車両を、複数の矢印板の点滅によって誘導することができる。
【先行技術文献】
【特許文献】
【０００４】
【特許文献１】実用新案登録第３１６５４４８号公報
【発明の概要】
【発明が解決しようとする課題】
【０００５】
しかしながら、特許文献１のように、手元操作器を用いて矢印板の点滅パターンを切り替える構成では、矢印板を使用する際には、矢印板以外に手元操作器も必ず用意し、手元操作器で制御信号を送信する必要がある。このため、手元操作器の管理も重要になり、手元操作器を紛失した場合、矢印板の点滅パターンを切り替えることが不可能になる虞があった。
【０００６】
本発明は、上記に鑑みてなされたものであって、操作のための専用の装置を用いることなく、点滅の制御を行うことのできる視線誘導装置を提供することを目的とする。
【課題を解決するための手段】
【０００７】
上述した課題を解決し、目的を達成するために、本発明に係る視線誘導装置は、自発光する発光部と、前記発光部の点滅制御を行う制御部と、前記制御部からの制御信号を無線によって送受信する通信部と、を有する発光装置を複数備え、それぞれの前記発光装置の前記制御部は、それぞれの前記発光装置が有する前記通信部同士での無線通信を介して、前記制御信号の送受信を行うことが可能になっており、且つ、自己の前記発光装置を親機または子機として設定することが可能になっており、前記親機の前記制御部は、前記発光部の点滅制御の制御信号を設定すると共に、設定した点滅制御の制御信号を前記子機の前記制御部に対して、前記通信部同士での無線通信を介して送信し、前記子機の前記制御部は、前記親機の前記制御部から送信された前記点滅制御の制御信号を、他の前記子機の前記制御部に対して、前記通信部同士での無線通信を介して送信し、それぞれの前記発光装置の前記制御部は、前記親機の前記制御部で設定した点滅制御の制御信号に基づいて前記発光部を点滅させることを特徴とする。
【０００８】
また、上記視線誘導装置において、それぞれの前記制御部は、前記親機の前記制御部で設定された前記発光部の点滅制御の制御信号に基づいて前記発光部の点滅制御を行うことにより、複数の前記発光装置間で前記発光部を順次点滅させることが可能になっており、前記親機の前記制御部は、複数の前記発光装置間で前記発光部を順次点滅させる際のタイミングを設定可能であることが好ましい。
【０００９】
また、上記視線誘導装置において、前記制御部は、自己の前記発光装置のアドレス設定をすることにより、自己の前記発光装置を前記親機または前記子機として設定することが好ましい。
【００１０】
また、上記視線誘導装置において、前記通信部は、無線通信を行う際の周波数を変更することができることが好ましい。
【００１１】
また、上記視線誘導装置において、前記通信部は、無線通信に用いる電波の送受信を行うアンテナを有し、前記アンテナは、前記発光装置の設置時における前記発光装置の上部に位置させることが可能であることが好ましい。
【発明の効果】
【００１２】
本発明に係る視線誘導装置は、操作のための専用の装置を用いることなく、点滅の制御を行うことができる、という効果を奏する。
【図面の簡単な説明】
【００１３】
【図１】図１は、実施形態１に係る視線誘導装置が備える矢印板の正面図である。
【図２】図２は、図１のＡ−Ａ矢視図である。
【図３】図３は、図２のＢ−Ｂ矢視図である。
【図４】図４は、図３に示すコントロールユニットの斜視図である。
【図５】図５は、図４に示すコントロールユニットの透視図である。
【図６】図６は、図４に示すコントロールユニットを、透明カバー側の反対側から見た状態の斜視図である。
【図７】図７は、図１に示す矢印板の機能ブロック図である。
【図８】図８は、図１に示す矢印板の設置状態の斜視図である。
【図９】図９は、図８に示す矢印板を脚部側から見た斜視図である。
【図１０】図１０は、矢印が左方向を向くように設置する場合の説明図である。
【図１１】図１１は、図８に示す矢印板を複数設置した状態を示す説明図である。
【図１２】図１２は、実施形態２に係る視線誘導装置が有する矢印板を制御部側の面から見た状態を示す説明図である。
【図１３】図１３は、図１２に示すコントロールユニットの斜視図である。
【図１４】図１４は、図１３に示すコントロールユニットの透視図である。
【図１５】図１５は、図１３に示すコントロールユニットを、透明カバー側の反対側から見た状態の斜視図である。
【図１６】図１６は、図１２に示す電源部の斜視図である。
【図１７】図１７は、図１２に示す矢印板の設置状態の斜視図である。
【発明を実施するための形態】
【００１４】
以下に、本発明に係る視線誘導装置の実施形態を図面に基づいて詳細に説明する。なお、この実施形態によりこの発明が限定されるものではない。また、下記実施形態における構成要素には、当業者が置換可能、且つ、容易なもの、或いは実質的に同一のものが含まれる。
【００１５】
〔実施形態１〕
図１は、実施形態１に係る視線誘導装置が備える矢印板の正面図である。図２は、図１のＡ−Ａ矢視図である。図１、図２に示す矢印板１０は、本実施形態１に係る視線誘導装置１（図１１参照）における発光装置として構成されており、視線誘導装置１は、この矢印板１０を複数有している。この矢印板１０は、略長方形の板状のパネル１１を有しており、パネル１１は、パネル１１の外周形状とほぼ同形状で形成される枠状の部材である枠部１２に取り付けられている。
【００１６】
枠部１２に取り付けられるパネル１１の一方の面には、パネル１１の色とは異なる色の部材によって任意の形状で形成されることにより、所望の情報を表示する表示部１５が形成されている。表示部１５は、例えば、パネル１１の形状である長方形の長手方向における一方向を向く矢印状の形状で形成されており、これにより、矢印板１０を視認した人に対して、表示部１５の形状である矢印の方向に進むことを知らせることが可能になっている。
【００１７】
このように形成される矢印板１０には、自発光する発光部１６が、複数設けられている。この発光部１６は、例えば、ＬＥＤ（Ｌｉｇｈｔ  Ｅｍｉｔｔｉｎｇ  Ｄｉｏｄｅ）からなり、表示部１５の形状に沿って、複数が表示部１５上に配設されている。このため、複数の発光部１６の点灯時には、これらの発光部１６は、複数が表示部１５の形状に沿った形状で点灯することができるようになっている。
【００１８】
図３は、図２のＢ−Ｂ矢視図である。矢印板１０には、パネル１１における表示部１５が形成されている面の反対の面側に、脚部２０が配設されている。この脚部２０は、略コの字状の形状で形成される部材である脚部本体部２１が、回動部２２を中心に回動自在に枠部１２に取り付けられている。詳しくは、脚部本体部２１は、コの字における開口している側の幅が、パネル１１や枠部１２における、短手方向の幅と同程度の幅になっており、脚部本体部２１の開口側の両端が、回動部２２によって枠部１２に取り付けられている。回動部２２は、パネル１１等の短手方向に沿った向きの回動軸を中心として、枠部１２に対して回動自在に、脚部本体部２１を枠部１２に連結している。
【００１９】
回動部２２は、枠部１２の長手方向における一端寄りの位置に配設されており、この回動部２２によって枠部１２に連結される脚部本体部２１は、枠部１２に沿った状態では、コの字の閉止側が、枠部１２の長手方向における他端付近に位置する状態になる形状で形成されている。
【００２０】
また、脚部本体部２１には、コの字の開口側付近に、回動部２２の位置よりもコの字の閉止側の反対方向に延びる接地部部材２３が設けられている。つまり、接地部部材２３は、脚部本体部２１が枠部１２に沿った状態では、脚部本体部２１から、枠部１２の２つ短辺における回動部２２が近い側の短辺の方向に向かって形成されている。この接地部部材２３は、脚部本体部２１の開口側における両端側に設けられており、接地部部材２３同士の幅は、枠部１２の短手方向の長さよりも大きくなっている。このように設けられる接地部部材２３の先端には、接地部２４が配設されている。この接地部２４は、ゴム部材等の弾力性を有する材料からなり、枠部１２の短手方向における外側方向に突出する向きで、２箇所の接地部部材２３のそれぞれに設けられている。
【００２１】
また、矢印板１０は、発光部１６の点滅モードを設定する際などに入力操作を行うコントロールユニット３０を有しており、枠部１２には、このコントロールユニット３０を取り付けるユニット取付部２６が設けられている。ユニット取付部２６は、枠部１２の長手方向において脚部２０の回動部２２が位置する側の端部の反対側の端部寄りの位置に配設されており、枠部１２の２つの長辺の双方に配設され、共にコントロールユニット３０を着脱自在に取り付けることが可能になっている。
【００２２】
また、コントロールユニット３０は、電流や電気信号を流すことができるコード５８によって、発光部１６側の配線と接続されている。コード５８は、パネル１１における表示部１５が形成されている面の反対側の面に位置しており、発光部１６とは異なる面に配設されているため、発光部１６側の配線とコード５８とは、パネル１１を貫通して接続されている。このため、発光部１６側の配線とコード５８との接続部分は、パネル１１における、表示部１５が形成されている面の反対側の面に配設される接続部キャップ５７によって覆われている。
【００２３】
図４は、図３に示すコントロールユニットの斜視図である。図５は、図４に示すコントロールユニットの透視図である。コントロールユニット３０は、略直方体状の筐体３１を有しており、筐体３１の一部の面は、光を透過する部材からなる透明カバー３２になっている。コントロールユニット３０は、筐体３１における透明カバー３２が位置する側の面の反対側の面側を、ユニット取付部２６に取り付けることにより、ユニット取付部２６に取り付けることが可能になっている。この筐体３１内には、矢印板１０の各部の電気制御を行う制御部６０（図７参照）と、制御部６０からの制御信号を無線によって送受信する通信部３５が配設されており、さらに、筐体３１内には、発光部１６と制御部６０と通信部３５とに電力を供給する電源部４０が配設されている。
【００２４】
このうち、通信部３５は、無線通信に用いる電波の送受信を行うアンテナ３６を有しており、アンテナ３６は、筐体３１内に配設されている。筐体３１は、樹脂等の部材からなり、アンテナ３６によって送受信を行う電波は、筐体３１を通り抜けることが可能になっている。このため、通信部３５は、アンテナ３６によって、筐体３１を通り抜ける電波の送受信が可能になっている。
【００２５】
また、電源部４０は、光エネルギーを電力に変換するソーラーバッテリー４１と、ソーラーバッテリー４１で変換した電力を蓄電する二次電池４２と、を有している。ソーラーバッテリー４１は、筐体３１内において、筐体３１の内側から透明カバー３２に対向する位置に配設されている。即ち、ソーラーバッテリー４１は、コントロールユニット３０の外部から透明カバー３２を透過して筐体３１内に進入した光を受光できる位置に配設されており、この受光した光によって、発電することが可能になっている。また、二次電池４２は、ソーラーバッテリー４１に電気的に接続され、筐体３１内に配設されている。
【００２６】
図６は、図４に示すコントロールユニットを、透明カバー側の反対側から見た状態の斜視図である。コントロールユニット３０には、透明カバー３２が設けられている側の反対側の面に、操作部５０が設けられている。この操作部５０は、入力操作を行うスイッチ５１と、コントロールユニット３０の操作時に所定の情報が表示される情報表示部５５とを有している。このうち、スイッチ５１は、電源の入切を切り替える電源スイッチ５２と、それぞれ所定の機能が割り与えられたＡボタン５３及びＢボタン５４と、を有している。また、情報表示部５５は、ＬＥＤや液晶パネル等を用いることにより、任意の情報を表示することが可能になっている。
【００２７】
また、コントロールユニット３０は、操作部５０が設けられている側の面を、ユニット取付部２６に対向させ、ユニット取付部２６に接触させた状態で、取付部材３３によってユニット取付部２６に取り付ける。その際に、コントロールユニット３０は、操作部５０がユニット取付部２６によって覆われない位置関係で、ユニット取付部２６に取り付ける。取付部材３３は、取付部材３３とコントロールユニット３０とでユニット取付部２６を挟んだ状態で、コントロールユニット３０に螺合することにより、コントロールユニット３０をユニット取付部２６に取り付けることが可能になっている。
【００２８】
このように、コントロールユニット３０を取り付けることができるユニット取付部２６は、枠部１２に対して回動自在に連結されている。詳しくは、ユニット取付部２６は、枠部１２の長手方向に延びる回動軸を中心として回動自在に、枠部１２に連結されている。これにより、ユニット取付部２６は、コントロールユニット３０が取り付けられている際には、コントロールユニット３０が、パネル１１における接続部キャップ５７が配設されている面側に位置する状態から、枠部１２の外周面側に位置する状態にかけて、回動することが可能になっている。
【００２９】
つまり、例えば、枠部１２の短手方向が上下方向になる向きで矢印板１０を設置した場合において、上側に位置するユニット取付部２６にコントロールユニット３０を取り付けた場合、ユニット取付部２６は、パネル１１における表示部１５の反対側に位置する状態から、枠部１２の上側に位置する状態にかけて回動可能になっている。
【００３０】
この場合におけるコントロールユニット３０の向きは、パネル１１における表示部１５の反対側に位置する状態では、透明カバー３２が位置する側の面がパネル１１に対向し、操作部５０が、パネル１１が位置する側の反対側を向く向きで、ユニット取付部２６に取り付けられている。即ち、コントロールユニット３０は、パネル１１における表示部１５の反対側に位置する状態においては、操作部５０が表面に位置する向きで、ユニット取付部２６に取り付けられている。
【００３１】
ユニット取付部２６は、パネル１１における表示部１５の反対側に位置する状態から、ユニット取付部２６の回動軸を中心として上方に、約２７０°回動することにより、コントロールユニット３０が、枠部１２の上側に位置する状態になる。この状態でのコントロールユニット３０の向きは、操作部５０が下方に位置して下方を向き、透明カバー３２が上方に位置して上方を向く向きになる。
【００３２】
コントロールユニット３０は、このように、枠部１２の上側に位置する状態にすることが可能になっているため、これにより通信部３５は、矢印板１０の設置時における矢印板１０の上部に位置させることが可能になっている。その際に、コントロールユニット３０は、透明カバー３２が上方を向く向きで配設できるため、電源部４０は、矢印板１０の上方側から照射されて透明カバー３２を透過する光を、ソーラーバッテリー４１で受けることができる状態で配設可能になっている。
【００３３】
図７は、図１に示す矢印板の機能ブロック図である。コントロールユニット３０に内設される制御部６０は、発光部１６の点滅制御を行うことが可能になっており、ＣＰＵ（Ｃｅｎｔｒａｌ  Ｐｒｏｃｅｓｓｉｎｇ  Ｕｎｉｔ）等を有する処理部や、ＲＡＭ（Ｒａｎｄｏｍ  Ａｃｃｅｓｓ  Ｍｅｍｏｒｙ）等の記憶部を備える電子制御装置として構成されている。視線誘導装置１を構成する矢印板１０は、ソーラーバッテリー４１によって発電した電力によって制御部６０や発光部１６、操作部５０、通信部３５等の各部が作動すると共に、ソーラーバッテリー４１で発電した一部の電力は、二次電池４２に蓄電可能になっている。制御部６０には、発光部１６や操作部５０、通信部３５が電気的に接続されており、操作部５０によって入力された各種の設定情報に基づいて、発光部１６の点滅制御が可能になっている。
【００３４】
また、通信部３５は、電波の送受信を行うアンテナ３６と、電波を用いて信号の送受信を行う際の制御を行う通信制御部３７と、を有しており、例えば、２．４ＧＨｚ帯の周波数の電波を用いることにより、信号の送受信を行うことができる。視線誘導装置１を構成する複数の矢印板１０は、それぞれに備えられる通信部３５によって矢印板１０同士で無線通信を行うことにより、発光部１６の点滅制御を行う際における制御信号等の信号の送受信を、互いの制御部６０同士の間で行うことが可能になっている。つまり、それぞれの矢印板１０の制御部６０は、それぞれの矢印板１０が有する通信部３５同士での無線通信を介して、制御信号の送受信を行うことが可能になっている。
【００３５】
また、通信部３５は、複数の矢印板１０の通信部３５同士で無線通信を行う際の周波数を変更することが可能になっており、周波数の変更は、操作部５０での入力操作によって行うことができる。視線誘導装置１は、これらのように構成される矢印板１０を複数有し、矢印板１０同士で無線通信を行うことができるように構成されている。
【００３６】
本実施形態１に係る視線誘導装置１は、以上のような構成からなり、以下、その作用について説明する。視線誘導装置１を使用する際には、複数の矢印板１０を任意の場所に設置して使用する。図８は、図１に示す矢印板の設置状態の斜視図である。図９は、図８に示す矢印板を脚部側から見た斜視図である。矢印板１０を設置する際には、脚部本体部２１がパネル１１から離れる方向に、回動部２２を中心として回動させることにより、脚部２０を引き出して起立させる。これにより、脚部２０は、脚部本体部２１の形状であるコの字の閉止側が、パネル１１から離れた状態になる。また、この状態では、脚部２０の接地部部材２３は、接地部２４が配設される側の端部側が、パネル１１における表示部１５が向いている方向に突出する状態になる。
【００３７】
矢印板１０は、この状態で、枠部１２の短手方向の一端側が下方になる向きで、任意の場所に配置する。これにより、矢印板１０は、脚部２０が有する接地部２４と、脚部本体部２１におけるコの字の閉止側の端部と、枠部１２とのうち、下面側に位置する部分が接地して配置される。その際に、コントロールユニット３０は、２つのユニット取付部２６のうち、矢印板１０の配置時における上側に位置するユニット取付部２６に取り付け、コントロールユニット３０が取り付けられたユニット取付部２６は、上方側に回動させる。これにより、コントロールユニット３０を、枠部１２の上方に位置させる。矢印板１０は、このようにコントロールユニット３０を、パネル１１の上端側に位置させた状態で設置する。
【００３８】
なお、図８では、表示部１５が設けられる面側から矢印板１０を見た場合に、表示部１５の形状である矢印が右方向を向くように、矢印板１０を設置する場合の形態について説明しているが、矢印板１０は、矢印が左方向を向くように設置してもよい。図１０は、矢印が左方向を向くように設置する場合の説明図である。表示部１５の形状である矢印が、左方向を向くように矢印板１０を設置する場合には、コントロールユニット３０は、２つのユニット取付部２６のうち、矢印が左方向を向く向きで矢印板１０を設置した際に上側に位置するユニット取付部２６に取り付ける。コントロールユニット３０が取り付けられたユニット取付部２６は、この状態で上方側に回動させることにより、コントロールユニット３０を、枠部１２の上方に位置させる。これにより矢印板１０は、表示部１５の形状である矢印が左方向を向くように設置する場合でも、コントロールユニット３０を、パネル１１の上端側に位置させて設置することができる。
【００３９】
図１１は、図８に示す矢印板を複数設置した状態を示す説明図である。視線誘導装置１は、当該視線誘導装置１が有する複数の矢印板１０の脚部２０を、これらのように起立させ、さらに、矢印板１０の配置時における上端側にコントロールユニット３０を位置させた状態で、各矢印板１０を、任意の位置に配置する。これにより、コントロールユニット３０には、透明カバー３２が上方を向く向きになるため、日中は、コントロールユニット３０に照射される太陽光が透明カバー３２を透過し、コントロールユニット３０に内設されるソーラーバッテリー４１に照射される。ソーラーバッテリー４１は、この太陽光を用いて発電し、ソーラーバッテリー４１で発電した電力は、二次電池４２で蓄電される。
【００４０】
夜間など、暗くなって周囲の状態を視認し難い状況のときには、矢印板１０を構成する各電気部品は、二次電池４２で蓄電した電力によって作動する。視線誘導装置１の使用時には、矢印板１０は、日中に矢印板１０に照射される光によって発電すると共に発電した電力を蓄電し、周囲が暗くなったら、蓄電した電力によって表示部１５の発光部１６を点滅させることにより、矢印状の形状で光を点滅させる。
【００４１】
また、各矢印板１０は、無線通信によって矢印板１０同士の間で同調しながら、表示部１５の発光部１６を点滅させる。これにより、複数の矢印板１０全体で見たときに、点滅を同期させたり、並んでいる矢印板１０を順番に点滅させることにより、矢印状の光が動いているように点灯させたりする。これらの点滅状態の設定は、各矢印板１０を、親機６５または子機６６として設定し、発光部１６の点滅状態を親機６５で設定することにより、全ての矢印板１０の発光部１６を、所望の点滅状態で点滅させる。
【００４２】
つまり、各矢印板１０は、それぞれ自己を親機６５または子機６６として設定することができ、親機６５、及びそれぞれの子機６６の発光部１６は、親機６５で設定される点滅制御の制御信号に基づいて点滅する。これらを実現するため、各矢印板１０の制御部６０は、自己の矢印板１０を、親機６５または子機６６として設定することが可能になっている。具体的には、矢印板１０は、無線通信を行う際に用いるアドレスを設定することが可能になっており、制御部６０は、自己の矢印板１０のアドレス設定をすることにより、自己の矢印板１０を親機６５または子機６６として設定すること可能になっている。即ち、本実施形態１に係る視線誘導装置１を構成する複数の矢印板１０は、いずれの矢印板１０でも、いずれか１つの矢印板１０を親機６５として設定することができ、親機６５以外の矢印板１０を子機６６として設定することができる。
【００４３】
これらのように設定される矢印板１０のうち、親機６５の制御部６０は、発光部１６の点滅制御の制御信号を設定すると共に、設定した点滅制御の制御信号を、子機６６の制御部６０に対して、通信部３５同士での無線通信を介して送信することが可能になっている。
【００４４】
一方、子機６６の制御部６０は、親機６５の制御部６０から送信された点滅制御の制御信号を、他の子機６６の制御部６０に対して、通信部３５同士での無線通信を介して送信することが可能になっている。つまり、無線通信によって制御信号を受けた子機６６は、隣り合う子機６６に対して制御信号を送信し、これを繰り返すことにより、複数が並べられた矢印板１０では、親機６５から送信された制御信号を、全ての矢印板１０で受信することが可能になっている。
【００４５】
これらのように、親機６５の制御部６０、及び親機６５から送信された制御信号を、直接または間接的に受けたそれぞれの矢印板１０の制御部６０は、親機６５の制御部６０で設定した点滅制御の制御信号に基づいて発光部１６を点滅させることができる。これにより、全ての矢印板１０の発光部１６を、所望の点滅状態で点滅させることができ、即ち、複数の矢印板１０で、発光部１６の点滅を連携させて点滅させることができる。
【００４６】
複数の矢印板１０の発光部１６を点滅させる際の点滅状態としては、例えば、複数が並べられた矢印板１０の発光部１６を、並べられている順番で順次点滅させることができる。つまり、それぞれの制御部６０は、親機６５の制御部６０で設定された発光部１６の点滅制御の制御信号に基づいて発光部１６の点滅制御を行うことにより、複数の矢印板１０間で発光部１６を順次点滅させることが可能になっている。このように、矢印板１０を順次点滅させる場合には、親機６５の制御部６０は、複数の矢印板１０間で発光部１６を順次点滅させる際のタイミングを設定することができる。
【００４７】
これらの点滅制御の設定や、親機６５及び子機６６の設定は、各矢印板１０が有するコントロールユニット３０の操作部５０に対して入力操作を行うことにより設定する。具体的には、情報表示部５５での表示内容を視認しながら、Ａボタン５３とＢボタン５４とを操作することにより行う。
【００４８】
このうち、Ａボタン５３は、操作部５０で設定をする際における設定モードを選択することが可能になっており、自己の矢印板１０のアドレスを設定するアドレス設定のモードと、発光部１６を点滅させる際の点滅モードの設定モードと、矢印板１０で無線通信を行う際のチャンネルの設定モードと、の中から選択することが可能になっている。
【００４９】
また、Ｂボタン５４は、Ａボタン５３で選択された設定モードにおいて、設定値を設定することが可能になっている。例えば、アドレス設定のモードのときには、Ｂボタン５４を押すごとに、アドレスを切り替えることができる。つまり、本実施形態１に係る視線誘導装置１では、アドレスとして、「Ｎｏ１」〜「Ｎｏ１０」を選択することが可能になっており、Ｂボタン５４を押すごとに、情報表示部５５の表示が「Ｎｏ１」から「Ｎｏ１０」にかけて順番に変化し、Ａボタン５３を押すことにより、アドレスを決定することができる。即ち、Ａボタン５３を押した際に、情報表示部５５に表示されているアドレスが、その矢印板１０のアドレスになる。このように選択することができるアドレスは、制御部６０の記憶部に予め記憶されており、アドレス設定のモードでは、記憶されたアドレスの中から１つを選択する。
【００５０】
なお、このアドレスは、「Ｎｏ１」が親機６５としてのアドレスになっており、「Ｎｏ２」〜「Ｎｏ１０」が、子機６６としてのアドレスになっている。このため、アドレス設定のモードは、複数の矢印板１０のうち、親機６５を設定するためのモードにもなっている。
【００５１】
また、点滅モードの設定モードのときには、Ｂボタン５４を押すごとに、点滅モードを切り替えることができる。つまり、本実施形態１に係る視線誘導装置１では、点滅モードとして、複数の矢印板１０を同時点滅させるモードとしての「Ｆ０」が設定され、複数の矢印板１０間で流動点滅させるモードとしての「Ｆ１」〜「Ｆ９」が設定されており、Ｂボタン５４を押すごとに、これらを切り替えることができる。なお、流動点滅させるモードである「Ｆ１」〜「Ｆ９」は、隣り合う矢印板１０同士の間で点滅が切り替わる時間が異なっており、即ち、複数の矢印板１０同士の間で点滅が流動する際の速度が異なっている。
【００５２】
点滅モードの設定モードでは、Ｂボタン５４を押すごとに、情報表示部５５の表示が「Ｆ０」から「Ｆ９」にかけて順番に変化し、Ａボタン５３を押すことにより、点滅モードを決定することができる。即ち、Ａボタン５３を押した際に、情報表示部５５に表示されている点滅モードが、実際に使用する点滅モードになる。このように選択することができる点滅モードは、制御部６０の記憶部に予め記憶されており、点滅モードの設定モードでは、記憶された点滅モードの中から１つを選択する。
【００５３】
また、チャンネルの設定のモードのときには、Ｂボタン５４を押すごとに、矢印板１０で無線通信を行う際のチャンネルを切り替えることができる。つまり、本実施形態１に係る視線誘導装置１では、無線通信時のチャンネルとして、「Ｃ０」〜「Ｃ９」が設定されており、Ｂボタン５４を押すごとに、これらを切り替えることができる。チャンネルの設定モードでは、Ｂボタン５４を押すごとに、情報表示部５５の表示が「Ｃ０」から「Ｃ９」にかけて順番に変化し、Ａボタン５３を押すことにより、チャンネルを決定することができる。即ち、Ａボタン５３を押した際に、情報表示部５５に表示されているチャンネルが、実際に使用するチャンネルになる。このように選択することができるチャンネルは、制御部６０の記憶部に予め記憶されており、チャンネルの設定モードでは、記憶されたチャンネルの中から１つを選択する。
【００５４】
次に、これらの機能を有する視線誘導装置１の使用時に、実際に設置する際の手順について説明する。視線誘導装置１の使用時の条件として以下の説明では、矢印板１０の設置台数は１０台で、発光部１６の点滅モードは、矢印板１０同士で同時点滅させる場合について説明する。
【００５５】
視線誘導装置１を使用する場合には、矢印板１０の設置前に、電源を投入してアドレス設定をする。即ち、１０台の矢印板１０で、それぞれコントロールユニット３０によってアドレス設定を行い、アドレスを「Ｎｏ１」から「Ｎｏ１０」まで振り分ける。これにより、１０台の矢印板１０のうち、親機６５として用いる「Ｎｏ１」の矢印板１０と、子機６６として用いる「Ｎｏ２」〜「Ｎｏ１０」の矢印板１０とを決定する。
【００５６】
なお、これらのようにアドレス設定を行った場合、情報表示部５５では、親機６５を認識できるような表示をするのが好ましい。例えば、情報表示部５５には、親機６５の認識用のＬＥＤを設け、アドレス設定によって親機６５として設定された矢印板１０が有するコントロールユニット３０の情報表示部５５のみ、このＬＥＤを点灯させ、使用者が親機６５を一目で認識できるようにするのが好ましい。また、視線誘導装置１の使用開始時に、既にアドレス設定が完了している場合には、改めてアドレス設定をしなくてもよい。
【００５７】
アドレス設定が完了したら、所望の位置に、「Ｎｏ１」から「Ｎｏ１０」まで順番に任意の間隔で、各矢印板１０を設置する。その際に、矢印板１０同士の間隔は、コントロールユニット３０に内設される通信部３５で通信することができる範囲内の間隔にする。
【００５８】
次に、アドレスが「Ｎｏ１」の矢印板１０である親機６５で点滅モードを設定し、親機６５の点滅モードを、矢印板１０間で発光部１６を同時点滅させるモードである「Ｆ０」にする。点滅モードを親機６５で「Ｆ０」に確定すると、親機６５は、点滅モードを「Ｆ０」にして発光部１６を点滅制御する旨の制御信号を、通信部３５によって子機６６に対して無線送信する。
【００５９】
この無線信号を、子機６６である「Ｎｏ２」の矢印板１０で受信すると、「Ｎｏ２」の矢印板１０は、「Ｎｏ３」の矢印板１０に対して無線送信し、この無線信号を「Ｎｏ３」の矢印板１０で受信する。これらを繰り返すことにより、親機６５で確定した点滅モードは、全ての子機６６に伝達される。これらのように、点滅モードを確定した親機６５と、点滅モードを受信した子機６６は、隣り合う矢印板１０同士の間で点滅の同期を取りながら、発光部１６の点滅制御を行う。これにより、複数の矢印板１０は、発光部１６が同期点滅をする。
【００６０】
なお、点滅モードを流動点滅にする場合でも同様に、親機６５で「Ｆ１」〜「Ｆ９」のいずれかに設定すると、親機６５は流動点滅で発光部１６を点滅制御する旨の制御信号を子機６６に対して無線送信し、各矢印板１０は、流動点滅によって発光部１６を点滅制御する。即ち、各矢印板１０は、隣り合う矢印板１０と時間差で、発光部１６の点滅制御を行う。その際に、各矢印板１０は、隣り合う矢印板１０との間で時間差で点滅制御を行う際における、時間の差を、選択された点滅モードに応じて調節して点滅制御を行う。
【００６１】
点滅モードを流動点滅にする場合は、このように隣り合う矢印板１０同士の間で、時間差で発光部１６の点滅制御を行うことにより、矢印状の形状で発光する発光部１６の光が、矢印が向いている方向に流れるように点滅させることができる。また、流動点滅させる際における、隣り合う矢印板１０同士の点滅の時間差を、設定された点滅モードに応じて変化させることにより、矢印状の光が流れる際の速度を変化させることができる。
【００６２】
本実施形態１に係る視線誘導装置１では、これらのように矢印板１０同士の間で、無線通信を行うことにより、制御信号の送受信を行うが、近隣に同様の視線誘導装置１があったり、同じ周波数の電波を用いて無線通信を行う装置があったりする場合、混信することがある。このため、混信する可能性がある状況で視線誘導装置１を使用する場合には、チャンネル設定を行うことにより、無線通信時のチャンネルを変更し、無線通信で使用する電波の周波数を変更する。
【００６３】
チャンネル設定を行う際には、親機６５のコントロールユニット３０の操作部５０を操作することにより、チャンネル設定のモードにし、親機６５のチャンネルとして、「Ｃ０」〜「Ｃ９」の中のいずれかを選択する。親機６５のチャンネルを選択したら、各子機６６のチャンネルを、親機６５のチャンネルと同一のチャンネルにする。その後、親機６５の電源を入れ直すことにより、矢印板１０同士で無線通信を行う際の周波数を、設定したチャンネルの周波数にすることができる。無線通信時の電波の周波数は、これらのようにチャンネル設定を行うことにより、チャンネルに応じた周波数にすることができるため、無線通信時の周波数を変更する際には、チャンネル設定によってチャンネルを切り替えることにより、周波数を変更することができる。
【００６４】
また、矢印板１０同士の間で無線通信を行いながら、発光部１６の点滅制御を行う場合には、コントロールユニット３０が有する情報表示部５５で、作動状態を表示しながら点滅制御を行う。情報表示部５５で表示する作動状態としては、例えば、二次電池４２の充電量や、無線通信による通信状態を表示する。即ち、情報表示部５５には、二次電池４２の充電量に関する情報を表示するＬＥＤや、無線通信による通信状態を表示するＬＥＤを予め設け、二次電池４２の充電量が少なくなったり、無線通信での受信が途絶したりした場合には、これらのＬＥＤによって、充電量の低下や通信の途絶を表示する。
【００６５】
以上の実施形態１に係る視線誘導装置１は、視線誘導装置１が有する複数の矢印板１０のうち、１つを親機６５とすると共に残りを子機６６として設定し、親機６５で設定した発光部１６の点滅モードに基づいて、全ての矢印板１０の発光部１６の点滅制御を行うことができる。これにより、矢印板１０の発光部１６の点滅制御を行う際には、複数の矢印板１０のうち、１つの矢印板１０を用いて制御することができる。この結果、操作のための専用の装置を用いることなく、点滅の制御を行うことができる。
【００６６】
また、矢印板１０は、複数の矢印板１０間で発光部１６を順次点滅させることが可能になっており、親機６５の制御部６０は、複数の矢印板１０間で発光部１６を順次点滅させる際のタイミングを設定可能であるため、親機６５での点滅制御の設定により、使用者の意図に沿った点滅制御を行うことができる。この結果、操作のための専用の装置を用いることなく、より確実に所望の点滅の制御を行うことができる。
【００６７】
また、各矢印板１０は、自己の矢印板１０のアドレス設定をすることにより、自己の矢印板１０を親機６５または子機６６として設定することができるため、複数の矢印板１０を、容易に、且つ、柔軟に親機６５または子機６６として設定することができる。この結果、操作のための専用の装置を用いることなく、容易に点滅の制御を行うことができる。
【００６８】
また、通信部３５は、無線通信を行う際の周波数を変更することができるため、無線通信によって他の機器と混信する可能性がある場合には、チャンネル設定を行って無線通信を行う際の周波数を変更することにより、混信を防ぐことができる。この結果、矢印板１０同士の間で、より確実に無線通信によって制御信号の送受信を行うことができ、発光部１６の点滅制御を行うことができる。
【００６９】
また、コントロールユニット３０は、矢印板１０の設置時における矢印板１０の上部に位置させることができるため、通信部３５が有するアンテナ３６を、矢印板１０の上部に位置させることができる。これにより、アンテナ３６と地面との距離を大きくすることができるため、アンテナ３６から電波を送信する際における電波の減衰を低減することができる。従って、矢印板１０同士で通信を行う際の通信可能な距離を大きくすることができ、矢印板１０の設置時における矢印板１０同士の間の最大距離を大きくすることができる。この結果、複数の矢印板１０で、発光部１６の点滅をより確実に連携して点滅させることができる。
【００７０】
また、電源部４０は、ソーラーバッテリー４１と二次電池４２を備えているため、日中はソーラーバッテリー４１で発電して、発電した電力を二次電池４２で蓄電し、夜間は、二次電池４２で蓄電した電力で各部を作動させることができる。これにより、電源部４０は、外部から電力の供給を受けることなく、矢印板１０の各部に電力を供給することができる。この結果、電力の使用に関するコストが発生することなく、矢印板１０を作動させることができる。
【００７１】
〔実施形態２〕
実施形態２に係る視線誘導装置１は、実施形態１に係る視線誘導装置１と略同様の構成であるが、矢印板の電源として乾電池を用いている点に特徴がある。他の構成は実施形態１と同様なので、その説明を省略すると共に、同一の符号を付す。
【００７２】
図１２は、実施形態２に係る視線誘導装置が有する矢印板を制御部側の面から見た状態を示す説明図である。本実施形態２に係る視線誘導装置１が有する矢印板７０は、実施形態１に係る視線誘導装置１が有する矢印板１０と同様に、略長方形のパネル１１と、脚部２０と、２箇所のユニット取付部２６を有している。また、本実施形態２では、実施形態１とは異なり、電源部９０はコントロールユニット７５とは別体になっており、パネル１１における接続部キャップ５７が配設される側の面に配設され、接続部分が接続部キャップ５７に覆われた状態で、発光部１６側の配線に接続されている。
【００７３】
また、コントロールユニット７５は、実施形態１と同様にコード７８によって、発光部１６側の配線に電気的に接続され、取付部材３３によってユニット取付部２６に取り付けられている。また、実施形態２では、コントロールユニット７５は、コード７８によって電源部９０と電気的に接続されており、電源部９０からコントロールユニット７５への給電は、コード７８によって行われる。このコード７８と電源部９０との接続部分も、接続部キャップ５７に覆われている。
【００７４】
図１３は、図１２に示すコントロールユニットの斜視図である。図１４は、図１３に示すコントロールユニットの透視図である。コントロールユニット７５は、略直方体状の筐体７６を有しており、筐体７６の一部の面は、光を透過する部材からなる透明カバー７７になっている。コントロールユニット７５は、筐体７６における透明カバー７７が位置する側の面の反対側の面側を、ユニット取付部２６に取り付けることにより、ユニット取付部２６に取り付けることが可能になっている。この筐体７６内には、電波の送受信用のアンテナ３６を有する通信部３５が配設されている。
【００７５】
また、コントロールユニット７５の筐体７６内には、情報表示部８５が設けられており、情報表示部８５として、文字を表示する文字表示部８６と、ＬＥＤからなり光を発光するモニターランプ８７と、を有している。これらの文字表示部８６とモニターランプ８７とは、共に筐体７６の内側から透明カバー７７に対向する位置に配設されている。即ち、文字表示部８６とモニターランプ８７は、透明カバー７７を介して外部から視認できる位置に配設されている。
【００７６】
図１５は、図１３に示すコントロールユニットを、透明カバー側の反対側から見た状態の斜視図である。コントロールユニット７５には、透明カバー７７が設けられている側の反対側の面に、操作部８０が設けられている。この操作部８０は、入力操作を行うスイッチ８１を有しており、スイッチ８１としては、それぞれ所定の機能が割り与えられたＡボタン８２とＢボタン８３とを有している。このコントロールユニット７５は、操作部８０が設けられている側の面を、ユニット取付部２６に対向させ、ユニット取付部２６に接触させた状態で、取付部材３３によってユニット取付部２６に取り付ける。その際に、コントロールユニット７５は、操作部８０がユニット取付部２６によって覆われない位置関係で、ユニット取付部２６に取り付ける。
【００７７】
図１６は、図１２に示す電源部の斜視図である。本実施形態２に係る視線誘導装置１が有する矢印板７０では、電源部９０には、乾電池９２が用いられており、矢印板７０が有する各電気部品は、乾電池９２から供給される電力によって作動する。このため、電源部９０は、複数の乾電池９２を収容し、乾電池９２から電力を取り出すことができるバッテリーケース９１を有している。電源部９０は、矢印板７０の使用時には、複数の乾電池９２が収容された状態で、パネル１１における表示部１５が形成されている面の反対側の面に配設され、発光部１６やコントロールユニット７５に電気的に接続される。なお、電源部９０で用いられる乾電池９２は、一次電池でも二次電池でもよい。
【００７８】
本実施形態２に係る視線誘導装置１は、以上のような構成からなり、以下、その作用について説明する。本実施形態２に係る視線誘導装置１が有する矢印板７０においても、コントロールユニット７５は、操作部８０を操作することにより、アドレスの設定モードと、発光部１６の点滅モードの設定モードと、無線通信のチャンネルの設定モードと、に切り替え、それぞれ設定可能になっている。また、各矢印板７０は、電源部９０の乾電池９２から供給される電力によって各部が作動することにより、発光部１６が点滅したり、矢印板７０同士の間で無線通信を行ったりする。
【００７９】
本実施形態２に係る視線誘導装置１を使用する際には、まず、コントロールユニット７５の情報表示部８５を視認しながら操作部８０を操作することによって、各矢印板７０のアドレス設定をする。これにより、親機６５と子機６６とを設定する。アドレス設定が完了したら、各矢印板７０を所望の位置に設置する。
【００８０】
図１７は、図１２に示す矢印板の設置状態の斜視図である。矢印板７０を設置する際には、矢印板７０に設けられる脚部２０を引き出して脚部２０を起立させた状態にし、矢印板７０が有する枠部１２の短手方向の一端側が下方になる向きで、矢印板７０を任意の場所に配置する。その際に、矢印板７０は、コントロールユニット７５を、パネル１１の上端側に位置させた状態で設置する。
【００８１】
次に、親機６５のコントロールユニット７５を操作することによって、発光部１６の点滅モードを設定する。親機６５で点滅モードを確定すると、親機６５は、点滅モードに関する制御信号を無線通信によって子機６６に送信する。この信号を受信した子機６６は、隣り合う子機６６にさらに伝達し、これを繰り返すことにより、親機６５で確定した点滅モードは、全ての子機６６に伝達される。各矢印板７０は、この点滅モードに基づいて発光部１６の点滅制御をそれぞれ行うことにより、複数の矢印板７０で、発光部１６の点滅を連携させて点滅させることができる。
【００８２】
また、視線誘導装置１の使用時に、矢印板７０間で無線通信を行う際に使用する電波の周波数が、他の機器と混信する可能性があるときには、チャンネルを設定するモードで、混信しないチャンネルを選択する。これにより、矢印板７０同士の間で、適切に無線通信を行い、発光部１６の点滅を適切に連携させることができる。
【００８３】
以上の実施形態２に係る視線誘導装置１は、矢印板７０の電源部９０で乾電池９２を用いており、乾電池９２から供給される電力によって矢印板７０の各部を作動させているため、矢印板７０への日光の照射状態に関わらず、安定して作動させることができる。これにより、各矢印板７０で、発光部１６を安定して点滅させることができ、また、複数の矢印板７０での点滅の連携を、安定して行うことができる。また、電力が低下した際には、乾電池９２を交換することのみで、電力を回復させることができるので、電力の低下時における復帰を、容易に行うことができる。この結果、電力の供給状況を、より安定させた状態で、点滅の制御を行うことができる。
【００８４】
〔変形例〕
なお、実施形態１、２に係る視線誘導装置１では、発光部１６を有する発光装置として、矢印状の表示部１５を有する矢印板１０、７０を用いて説明しているが、発光装置は、矢印板１０、７０以外のものでもよい。発光装置は、例えば、発光部１６の点灯時に任意の文字を表示するものであってもよい。発光部１６の点灯時に文字を表示するものである場合でも、複数の発光装置で、発光部１６の点滅を連携させて点滅させることにより、視線誘導装置１を視認する者に対して文字の内容と点滅の連携とを合わせて伝達することができ、任意の情報を効果的に伝達することができる。
【００８５】
また、実施形態１、２に係る視線誘導装置１では、矢印板１０、７０の設置時は、コントロールユニット３０、７５を矢印板１０、７０の上端部に位置させることにより、通信部３５を矢印板１０、７０の上部に位置させているが、通信部３５全体が矢印板１０、７０の上部に位置していなくてもよい。例えば、通信部３５は、通信制御を行う通信制御部３７をコントロールユニット３０、７５以外の位置に設置し、アンテナ３６のみをコントロールユニット３０、７５内に配設することにより、矢印板１０、７０の設置時に、アンテナ３６が矢印板１０、７０の上部に位置するようにしてもよい。通信に用いる電波の送受信を直接行うのは、アンテナ３６であるため、通信制御部３７の配設形態に関わらず、矢印板１０、７０の設置時にはアンテナ３６が矢印板１０、７０の上部に位置するようにすることにより、矢印板１０、７０同士で通信を行う際の通信可能な距離を大きくすることができる。
【符号の説明】
【００８６】
１  視線誘導装置
１０、７０  矢印板（発光装置）
１１  パネル
１２  枠部
１５  表示部
１６  発光部
２０  脚部
２６  ユニット取付部
３０、７５  コントロールユニット
３１、７６  筐体
３２、７７  透明カバー
３３  取付部材
３５  通信部
３６  アンテナ
３７  通信制御部
４０、９０  電源部
４１  ソーラーバッテリー
４２  二次電池
５０、８０  操作部
５１、８１  スイッチ
５３、８２  Ａボタン
５４、８３  Ｂボタン
５５、８５  情報表示部
５７  接続部キャップ
６０  制御部
６５  親機
６６  子機
９１  バッテリーケース
９２  乾電池
【図１】
0006001016.tif 000002
【図２】
0006001016.tif 000003
【図３】
0006001016.tif 000004
【図４】
0006001016.tif 000005
【図５】
0006001016.tif 000006
【図６】
0006001016.tif 000007
【図７】
0006001016.tif 000008
【図８】
0006001016.tif 000009
【図９】
0006001016.tif 000010
【図１０】
0006001016.tif 000011
【図１１】
0006001016.tif 000012
【図１２】
0006001016.tif 000013
【図１３】
0006001016.tif 000014
【図１４】
0006001016.tif 000015
【図１５】
0006001016.tif 000016
【図１６】
0006001016.tif 000017
【図１７】
0006001016.tif 000018